(57)【要約】【課題】ブローノズルの内周面に開口する流路への内容液の侵入を抑制可能な液体入り容器の製造方法及び製造装置を提供する。【解決手段】本発明の液体入り容器の製造方法は、ノズルユニット２０はブローノズル２３に内蔵されたバルブＶａによって開閉可能に構成された流路２９を有し、流路２９のピン収容空間４２に配置されたシールピン４５はバルブＶａの閉状態において連通空間４１に入り込む突起部５２を有し、プリフォーム２の内部に加圧した液体Ｌを供給することにより、プリフォーム２を液体入り容器Ｃに成形する液体ブロー成形工程を有する。【選択図】図７
2020037185.tif 000002
【特許請求の範囲】
【請求項１】
ノズルユニットとブロー成形用金型とを用いて合成樹脂製のプリフォームから内容液を収容した液体入り容器を製造する液体入り容器の製造方法であって、
前記ノズルユニットは、加圧液体供給源に接続され、ブローノズルまで延びる液体の供給路と、
前記ブローノズルの内周面に設けられた開口から前記ノズルユニットの内部に延びるとともに、前記ブローノズルに内蔵されたバルブによって開閉可能に構成された流路と、を有し、
前記流路は、前記開口に隣接する連通空間と、前記連通空間に隣接し、軸方向に沿って進退移動可能なシールピンが配置されたピン収容空間とを有し、
前記シールピンは、前記バルブの閉状態において前記連通空間に入り込む突起部を有し、
前記ブローノズルを前記プリフォームの口部に係合させた状態で前記供給路から前記プリフォームの内部に前記加圧液体供給源によって加圧した液体を供給することにより、前記プリフォームを前記ブロー成形用金型の内面に沿った形状の前記液体入り容器に成形する液体ブロー成形工程を有する、液体入り容器の製造方法。
【請求項２】
前記液体入り容器の内部から液体を排出することにより、前記液体入り容器にヘッドスペースを形成するヘッドスペース形成工程を有し、
前記ヘッドスペース形成工程において、前記供給路を閉塞するとともに前記流路から前記液体入り容器の内部に加圧した気体を導入し、前記液体入り容器の内部から液体を排出する、請求項１に記載の液体入り容器の製造方法。
【請求項３】
前記液体ブロー成形工程より前に前記プリフォームの内部に液体を供給することにより、前記プリフォームの内部の空気を、前記流路を通して外部に排出させる空気排出工程をさらに有する、請求項１又は２に記載の液体入り容器の製造方法。
【請求項４】
前記空気排出工程において、前記バルブは、前記シールピンが前記開口から最も離れた位置にある全開状態と、前記シールピンが前記開口に最も近接した位置にある前記閉状態との間の半開状態である、請求項３に記載の液体入り容器の製造方法。
【請求項５】
前記ブローノズルを前記プリフォームの口部に係合させる前、及び、前記液体ブロー成形工程の後で前記ブローノズルを前記容器の口部から離脱させる際の少なくとも何れかにおいて、前記バルブを開くとともに前記流路内の液体を吸引可能な吸引源に前記流路を接続する、請求項１〜４のいずれか一項に記載の液体入り容器の製造方法。
【請求項６】
ノズルユニットとブロー成形用金型とを備え、
前記ノズルユニットは、加圧液体供給源に接続され、ブローノズルまで延びる液体の供給路と、
前記ブローノズルの内周面に設けられた開口から前記ノズルユニットの内部に延びるとともに、前記ブローノズルに内蔵されたバルブによって開閉可能に構成された流路と、を有し、
前記流路は、前記開口に隣接する連通空間と、前記連通空間に隣接し、軸方向に沿って進退移動可能なシールピンが配置されたピン収容空間とを有し、
前記シールピンは、前記バルブの閉状態において前記連通空間に入り込む突起部を有し、
前記ブローノズルを合成樹脂製のプリフォームの口部に係合させた状態で前記供給路から前記プリフォームの内部に前記加圧液体供給源によって加圧した液体を供給することにより、前記プリフォームを前記ブロー成形用金型の内面に沿った形状の液体入り容器に成形することが可能な、液体入り容器の製造装置。
【発明の詳細な説明】
【技術分野】
【０００１】
本発明は、合成樹脂製のプリフォームから内容液を収容した液体入り容器を製造する液体入り容器の製造方法及び製造装置に関する。
【背景技術】
【０００２】
ポリプロピレン（ＰＰ）製のボトルやポリエチレンテレフタレート（ＰＥＴ）製のボトルに代表されるような合成樹脂製の容器は、飲料、化粧品、薬品、洗剤、シャンプー等のトイレタリーなどの様々な液体を内容液として収容する用途に使用されている。このような容器は、上記したような熱可塑性を有する合成樹脂材料によって形成されたプリフォームをブロー成形することにより製造されるのが一般的である。
【０００３】
プリフォームを容器に成形するブロー成形としては、プリフォームの内部に供給する加圧媒体として、加圧エアーに替えて加圧した液体を用いるようにした液体ブロー成形が知られている。
【０００４】
例えば特許文献１には、予め延伸性を発現する温度にまで加熱しておいた合成樹脂製のプリフォームをブロー成形用金型に装着し、このプリフォームの内部にブローノズルを通してポンプ等の加圧手段により所定圧力にまで加圧した液体を供給することにより、当該プリフォームをブロー成形用金型のキャビティに沿った所定形状の容器に成形するようにした液体ブロー成形方法が記載されている。
【０００５】
上記のような液体ブロー成形方法では、プリフォームに供給する液体として最終的に製品として容器に収容される内容液を使用することにより、容器の成形と当該容器への内容液の充填とを同時に行って、内容液を収容した液体入り容器を製造することができる。したがって、このように液体ブロー成形を利用した液体入り容器の製造方法によれば、成形後の容器への内容液の充填工程を省略して、液体入り容器を低コストで製造することができる。
【先行技術文献】
【特許文献】
【０００６】
【特許文献１】特許第５８０６９２９号公報
【発明の概要】
【発明が解決しようとする課題】
【０００７】
上記のような液体ブロー成形方法においては、ブローノズルの内周面に開口する排気用、吸引用等の流路が設けられている場合がある。しかしながら、液体ブロー成形の過程において、ブローノズル内周面への開口から当該流路に充填内容液が侵入することがあり、流路に侵入した内容液が容器に戻されて内容液の量が安定し難くなったり、口部から離脱させたブローノズルからの液だれの原因となったりする虞がある。
【０００８】
本発明は、このような課題に鑑みてなされたものであり、その目的は、ブローノズルの内周面に開口する流路への内容液の侵入を抑制可能な液体入り容器の製造方法及び製造装置を提供することにある。
【課題を解決するための手段】
【０００９】
本発明の液体入り容器の製造方法は、ノズルユニットとブロー成形用金型とを用いて合成樹脂製のプリフォームから内容液を収容した液体入り容器を製造する液体入り容器の製造方法であって、
前記ノズルユニットは、加圧液体供給源に接続され、ブローノズルまで延びる液体の供給路と、
前記ブローノズルの内周面に設けられた開口から前記ノズルユニットの内部に延びるとともに、前記ブローノズルに内蔵されたバルブによって開閉可能に構成された流路と、を有し、
前記流路は、前記開口に隣接する連通空間と、前記連通空間に隣接し、軸方向に沿って進退移動可能なシールピンが配置されたピン収容空間とを有し、
前記シールピンは、前記バルブの閉状態において前記連通空間に入り込む突起部を有し、
前記ブローノズルを前記プリフォームの口部に係合させた状態で前記供給路から前記プリフォームの内部に前記加圧液体供給源によって加圧した液体を供給することにより、前記プリフォームを前記ブロー成形用金型の内面に沿った形状の前記液体入り容器に成形する液体ブロー成形工程を有するものである。
【００１０】
本発明の液体入り容器の製造方法は、上記構成において、前記液体入り容器の内部から液体を排出することにより、前記液体入り容器にヘッドスペースを形成するヘッドスペース形成工程を有し、
前記ヘッドスペース形成工程において、前記供給路を閉塞するとともに前記流路から前記液体入り容器の内部に加圧した気体を導入し、前記液体入り容器の内部から液体を排出するのが好ましい。
【００１１】
本発明の液体入り容器の製造方法は、上記構成において、前記液体ブロー成形工程より前に前記プリフォームの内部に液体を供給することにより、前記プリフォームの内部の空気を、前記流路を通して外部に排出させる空気排出工程をさらに有するのが好ましい。
【００１２】
本発明の液体入り容器の製造方法は、上記構成において、前記空気排出工程において、前記バルブは、前記シールピンが前記開口から最も離れた位置にある全開状態と、前記シールピンが前記開口に最も近接した位置にある前記閉状態との間の半開状態であるのが好ましい。
【００１３】
本発明の液体入り容器の製造方法は、上記構成において、前記ブローノズルを前記プリフォームの口部に係合させる前、及び、前記液体ブロー成形工程の後で前記ブローノズルを前記容器の口部から離脱させる際の少なくとも何れかにおいて、前記バルブを開くとともに前記流路内の液体を吸引可能な吸引源に前記流路を接続するのが好ましい。
【００１４】
本発明の液体入り容器の製造装置は、ノズルユニットとブロー成形用金型とを備え、
前記ノズルユニットは、加圧液体供給源に接続され、ブローノズルまで延びる液体の供給路と、
前記ブローノズルの内周面に設けられた開口から前記ノズルユニットの内部に延びるとともに、前記ブローノズルに内蔵されたバルブによって開閉可能に構成された流路と、を有し、
前記流路は、前記開口に隣接する連通空間と、前記連通空間に隣接し、軸方向に沿って進退移動可能なシールピンが配置されたピン収容空間とを有し、
前記シールピンは、前記バルブの閉状態において前記連通空間に入り込む突起部を有し、
前記ブローノズルを合成樹脂製のプリフォームの口部に係合させた状態で前記供給路から前記プリフォームの内部に前記加圧液体供給源によって加圧した液体を供給することにより、前記プリフォームを前記ブロー成形用金型の内面に沿った形状の液体入り容器に成形することが可能なものである。
【発明の効果】
【００１５】
本発明によれば、ブローノズルの内周面に開口する流路への内容液の侵入を抑制可能な液体入り容器の製造方法及び製造装置を提供することができる。
【図面の簡単な説明】
【００１６】
【図１】本発明の一実施形態である液体入り容器の製造方法に用いられる液体入り容器の製造装置の一例を、待機工程を行っている状態で示す説明図である。
【図２】空気排出工程を行っている状態の液体入り容器の製造装置を示す説明図である。
【図３】ロッドパージ工程及び液体ブロー成形工程を行っている状態の液体入り容器の製造装置を示す説明図である。
【図４】液体ブロー成形工程完了時の液体入り容器の製造装置を示す説明図である。
【図５】ヘッドスペース形成工程において、１段目のサックバックを行っている状態の液体入り容器の製造装置を示す説明図である。
【図６】ヘッドスペース形成工程において、図５の状態から供給路を閉塞した時の液体入り容器の製造装置を示す説明図である。
【図７】ヘッドスペース形成工程において、図６の状態から２段目のサックバックを開始し、ヘッドスペースを形成している状態の液体入り容器の製造装置を示す説明図である。
【図８】ロッド上昇・脱圧工程を行っている状態の液体入り容器の製造装置を示す説明図である。
【図９】図１に示す液体入り容器の製造装置における、ブローノズルに内蔵されたバルブを拡大して示す側面視での断面図である。
【図１０】図９のＡ−Ａ線における断面図である。
【図１１】図９のバルブの全開状態を示す側面視での断面図である。
【図１２】図９のバルブの半開状態を示す側面視での断面図である。
【図１３】比較例としてのバルブを示す側面視での断面図である。
【発明を実施するための形態】
【００１７】
以下、図面を参照して本発明をより具体的に例示説明する。
【００１８】
本発明の一実施形態である液体入り容器の製造方法は、ノズルユニットとブロー成形用金型とを用いて合成樹脂製のプリフォームから内容液を収容した液体入り容器を製造する液体入り容器の製造方法であって、
ノズルユニットは、加圧液体供給源に接続され、ブローノズルまで延びる液体の供給路と、
ブローノズルの内周面に設けられた開口からノズルユニットの内部に延びるとともに、ブローノズルに内蔵されたバルブによって開閉可能に構成された流路と、を有し、
流路は、開口に隣接する連通空間と、連通空間に隣接し、軸方向に沿って進退移動可能なシールピンが配置されたピン収容空間とを有し、
シールピンは、バルブの閉状態において連通空間に入り込む突起部を有し、
ブローノズルをプリフォームの口部に係合させた状態で供給路からプリフォームの内部に加圧液体供給源によって加圧した液体を供給することにより、プリフォームをブロー成形用金型の内面に沿った形状の液体入り容器に成形する液体ブロー成形工程を有する液体入り容器の製造方法である。
【００１９】
本実施形態の液体入り容器の製造方法は、液体入り容器の内部から液体を排出することにより、液体入り容器にヘッドスペースを形成するヘッドスペース形成工程を有し、
ヘッドスペース形成工程において、供給路を閉塞するとともに流路から液体入り容器の内部に加圧した気体を導入し、液体入り容器の内部から液体を排出するようにしている。
【００２０】
本実施形態の液体入り容器の製造方法は、液体ブロー成形工程より前にプリフォームの内部に液体を供給することにより、プリフォームの内部の空気を、流路を通して外部に排出させる空気排出工程をさらに有するようにしている。
【００２１】
本実施形態の液体入り容器の製造方法は、空気排出工程において、バルブは、シールピンが開口から最も離れた位置にある全開状態と、シールピンが開口に最も近接した位置にある閉状態との間の半開状態であるようにしている。
【００２２】
本実施形態の液体入り容器の製造方法は、ブローノズルをプリフォームの口部に係合させる前、及び、液体ブロー成形工程の後でブローノズルを容器の口部から離脱させる際の少なくとも何れかにおいて、バルブを開くとともに流路内の液体を吸引可能な吸引源に流路を接続するようにしている。
【００２３】
このような本実施形態の液体入り容器の製造方法は、例えば図１に示す構成の液体入り容器の製造装置１を用いて実施することができる。
【００２４】
本発明の一実施形態である液体入り容器の製造装置は、ノズルユニットとブロー成形用金型とを備え、
ノズルユニットは、加圧液体供給源に接続され、ブローノズルまで延びる液体の供給路と、
ブローノズルの内周面に設けられた開口からノズルユニットの内部に延びるとともに、ブローノズルに内蔵されたバルブによって開閉可能に構成された流路と、を有し、
流路は、開口に隣接する連通空間と、連通空間に隣接し、軸方向に沿って進退移動可能なシールピンが配置されたピン収容空間とを有し、
シールピンは、バルブの閉状態において連通空間に入り込む突起部を有し、
ブローノズルを合成樹脂製のプリフォームの口部に係合させた状態で供給路からプリフォームの内部に加圧液体供給源によって加圧した液体を供給することにより、プリフォームをブロー成形用金型の内面に沿った形状の液体入り容器に成形することが可能な、液体入り容器の製造装置である。
【００２５】
図１に示す液体入り容器の製造装置１は、合成樹脂製のプリフォーム２から内容液を収容した液体入り容器Ｃ（図４参照）を製造するものである。液体入り容器Ｃに収容される液体（内容液）Ｌとしては、例えば飲料、化粧品、薬品、洗剤、シャンプー等のトイレタリーなどの様々な液体Ｌを採用することができる。
【００２６】
プリフォーム２としては、例えばポリプロピレン（ＰＰ）やポリエチレンテレフタレート（ＰＥＴ）等の熱可塑性を有する合成樹脂材料によって、開口端となる円筒状の口部２ａと、口部２ａに連なるとともに下端が閉塞された円筒状の胴部２ｂとを有する有底筒状に形成されたものを用いることができる。
【００２７】
詳細は図示しないが、口部２ａの外壁面には、成形後の液体入り容器Ｃの口部２ａに閉塞キャップ（不図示）を打栓（アンダーカット係合）によって装着するための係合突起が設けられている。なお、口部２ａの外壁面に係合突起に替えて雄ネジを設けて閉塞キャップを口部２ａにねじ結合により装着する構成とすることもできる。
【００２８】
液体入り容器の製造装置１は、ブロー成形用金型１０を有している。ブロー成形用金型１０は、例えばボトル形状などの液体入り容器Ｃの最終形状に対応した形状のキャビティ１１を有している。キャビティ１１はブロー成形用金型１０の上面において上方に向けて開口している。プリフォーム２は、胴部２ｂがブロー成形用金型１０のキャビティ１１の内部に配置されるとともに口部２ａがブロー成形用金型１０から上方に突出した状態となってブロー成形用金型１０に装着される。
【００２９】
ブロー成形用金型１０は左右に型開きすることができるようになっており、プリフォーム２を液体入り容器Ｃに成形した後にブロー成形用金型１０を左右に開くことで、当該液体入り容器Ｃをブロー成形用金型１０から取り出すことができるようになっている。
【００３０】
ブロー成形用金型１０の上方には、プリフォーム２の内部に加圧した液体Ｌを供給するためのノズルユニット２０が設けられている。ノズルユニット２０は本体ブロック２１を有している。
【００３１】
本体ブロック２１の下端には支持ブロック２２が設けられ、この支持ブロック２２により支持されて本体ブロック２１の下端にはブローノズル２３が装着されている。ブローノズル２３は略円筒状に形成されており、その下端部の内側は液体供給口２３ａとなっている。本体ブロック２１、支持ブロック２２及びブローノズル２３によって、ノズルユニット本体２０ａが構成されている。ノズルユニット本体２０ａはブロー成形用金型１０に対して上下方向に相対移動自在となっている。ノズルユニット本体２０ａが下方側のストローク端にまで下降すると、ノズルユニット本体２０ａ（より具体的には、ブローノズル２３）は、ブロー成形用金型１０に装着されたプリフォーム２の口部２ａに上方側から密封状態で係合する。
【００３２】
ノズルユニット本体２０ａ（より具体的には、本体ブロック２１及びブローノズル２３）の内部には、ブローノズル２３の液体供給口２３ａまで延びる縦流路２４が設けられている。この縦流路２４は上下方向に延びている。
【００３３】
ノズルユニット本体２０ａ（より具体的には、本体ブロック２１）には、縦流路２４の上端に連通する供給ポート２５が設けられている。
【００３４】
ノズルユニット本体２０ａ（より具体的には、ブローノズル２３）は、縦流路２４に設けられた環状（円環状）の座部２４ａを有している。環状の座部２４ａは、ブローノズル２３の上面によって構成されている。環状の座部２４ａは、ブローノズル２３の内周面によって構成してもよいし、ブローノズル２３の上面及び内周面によって構成してもよい。環状の座部２４ａは、下向き円錐状のテーパ面からなっている。しかし、環状の座部２４ａの形状は適宜変更が可能である。縦流路２４の内部には、縦流路２４（の座部２４ａ）を開閉するためのシール体２６が配置されている。シール体２６は円筒状に形成されており、シール体２６の下端には、下向き円錐状のテーパ面２６ａが設けられている。シール体２６は、下方側のストローク端位置である閉塞位置にまで移動したときに、テーパ面２６ａにおいてブローノズル２３の上面（座部２４ａ）に当接して縦流路２４（の座部２４ａ）を閉塞する。テーパ面２６ａはシール体２６の下端に設けられているが、その配置は適宜変更が可能である。また、テーパ面２６ａは下向き円錐状をなしているが、その形状は適宜変更が可能である。一方、シール体２６が閉塞位置から上方に向けて移動すると、シール体２６の下端面がブローノズル２３の上面（座部２４ａ）から離脱して縦流路２４（の座部２４ａ）が開放される。
【００３５】
シール体２６は、縦流路２４（の座部２４ａ）を閉塞する閉塞位置と、縦流路２４（の座部２４ａ）を、液体ブロー成形工程内で最大となる開度である最大開度で開放する開放位置との間で移動可能である。より具体的には、シール体２６は、閉塞位置（図１参照）と、予備開放位置（図２参照）と、開放位置（図４参照）との間で移動可能となっている。予備開放位置では、縦流路２４（の座部２４ａ）を開閉するシール体２６の開度は、開放位置での開度よりも小さくなっている。好ましくは、予備開放位置での縦流路２４の有効断面積は、開放位置での縦流路２４の有効断面積の１０％以下とする。なお、ここでいう有効断面積とは、シール体２６とブローノズル２３との間に形成される流路の有効断面積である。図１に示すように、シール体２６はノズルユニット本体２０ａに対して相対的に上下方向に移動自在に設けられた軸体２７に固定され、縦流路２４の内部で上下方向に移動自在となっている。なお、シール体２６は、軸体２７と一体に形成してもよい。
【００３６】
ノズルユニット２０は、排出口２８ａが設けられた排出ロッド２８を有している。鋼材等によって略円柱状に形成された排出ロッド２８は、軸体２７及びシール体２６の軸心に沿って延びている。排出ロッド２８は、図示しない駆動源により駆動されて軸体２７及びシール体２６に対して相対的に上下方向に移動することができる。排出口２８ａは、排出ロッド２８の中空部（図示省略）を介して第１配管Ｐ１に連通している。より具体的には、排出ロッド２８の中空部の下端部が排出口２８ａに連通し、排出ロッド２８の中空部の上端部が第１配管Ｐ１に連通している。第１配管Ｐ１には、ロッドバルブＶ１が設けられ、このロッドバルブＶ１により第１配管Ｐ１を開閉することができる。なお、ロッドバルブＶ１は、制御装置によって制御可能な電磁弁により構成されるのが好ましい。本実施形態では、排出ロッド２８の下端が閉塞されており、排出口２８ａは排出ロッド２８の周壁に設けられている。したがって、容器ＣのヘッドスペースＨＳ（図７参照）の形成後に排出ロッド２８を原位置に引き戻す際に、液垂れが生じ難い。しかし、このような構成に限定されず、排出口２８ａは、排出ロッド２８の下端面に設けても、下端面と周壁との両方に設けてもよい。
【００３７】
排出ロッド２８は、本実施形態のように、延伸ロッドとして用いてもよい。排出ロッド２８は、下方に向けて移動することにより、プリフォーム２を軸方向に延伸させることができる。
【００３８】
ノズルユニット２０（のノズルユニット本体２０ａ）の内部には、液体Ｌ及び／又は気体（本実施形態では空気）が流れる流路２９が設けられている。流路２９は、後述する供給路（供給路は、第３配管Ｐ３、供給ポート２５及び縦流路２４で構成される）における座部２４ａより下流側の部分（本実施形態ではブローノズル２３の内周面）に設けられた開口３１を吸引源３２に接続した吸引状態と、開口３１を加圧した気体（本実施形態では空気）を供給可能な加圧気体供給源３３に接続した加圧状態と、開口３１を大気に接続した大気開放状態と、開口３１を吸引源３２、加圧気体供給源３３及び大気のいずれに対しても遮断した閉状態とを択一的に選択可能に構成されている。開口３１は、液体供給口２３ａに開通している。図１及び図８に示すように、流路２９を吸引状態とすることで、例えば、ブローノズル２３が上昇した状態で当該ブローノズル２３に付着した内容液を吸引し、ブローノズル２３からの液だれを防止することができる。内容物が液だれを生じ難い液体である場合や液だれを生じても構わない場合などにおいては、流路２９を吸引状態にする必要はない（第３経路２９ｃ及び吸引源３２を設けない構成としてもよい）。図２に示すように、流路２９を大気開放状態とすることで、空気排出工程において、プリフォーム２の内部から空気を、流路２９を通して大気（外部）に排出することができる。条件によっては、空気排出工程において、流路２９を大気開放状態とする代わりに吸引状態とし、プリフォーム２の内部から空気を排出してもよい。図３及び図４に示すように、流路２９を閉状態とすることで、液体ブロー成形工程において、プリフォーム２の内部に加圧した液体Ｌを安定して供給することができる。図７に示すように、流路２９を加圧状態とすることで、ヘッドスペース形成工程において液体入り容器Ｃの内部から排出ロッド２８の排出口２８ａを通して液体Ｌを排出するときに、液体入り容器Ｃの内部に加圧した気体（空気）を供給することによって液体Ｌの排出を促進又は支援すること（エアアシスト）ができる。吸引源３２は、例えば吸引ポンプ等で構成することができる。加圧気体供給源３３は、例えば加圧ポンプ等で構成することができる。吸引源３２及び加圧気体供給源３３は、吸引ポンプと加圧ポンプを一体型とした吸引・加圧ポンプ（例えば、加圧液体供給源３０のようなプランジャーポンプ）で構成してもよい。流路２９は、その一部又は全体をノズルユニット２０（のノズルユニット本体２０ａ）の内部に設けることができる。
【００３９】
本実施形態では、流路２９は、図１に示すように、第１バルブＶａ（バルブ）が設けられた第１経路２９ａと、第２バルブＶｂが設けられた第２経路２９ｂと、第３バルブＶｃが設けられた第３経路２９ｃと、第４バルブＶｄが設けられた第４経路２９ｄと、第５バルブＶｅが設けられた第５経路２９ｅとを有している。第１経路２９ａの一端は開口３１に接続し、他端は第１分岐部３４に接続している。第２経路２９ｂの一端は第２分岐部３５に接続し、他端は大気に開放されている。第３経路２９ｃの一端は第２分岐部３５に接続し、他端は吸引源３２に接続している。第４経路２９ｄの一端は第１分岐部３４に接続し、他端は第２分岐部３５に接続している。第５経路２９ｅの一端は第１分岐部３４に接続し、他端は加圧気体供給源３３に接続している。第１〜第５バルブＶａ〜Ｖｅは、電磁弁により構成されるのが好ましい。
【００４０】
供給ポート２５には、第３配管Ｐ３及び第２配管Ｐ２を介して加圧液体供給源３０が接続されている。加圧液体供給源３０は、例えばシリンダ３０ａとピストン（プランジャー）３０ｂとを備えたプランジャーポンプで構成することができる。
【００４１】
加圧液体供給源３０は、図３及び図４に示すように、ブロー成形用金型１０に装着されたプリフォーム２の口部２ａにブローノズル２３が密封状態で係合するとともにシール体２６が縦流路２４を開放した状態において、正方向（加圧方向）に作動することにより、第２配管Ｐ２、第３配管Ｐ３、供給ポート２５及び縦流路２４（の座部２４ａ）及び液体供給口２３ａを介してプリフォーム２の内部に加圧した液体Ｌを供給することができる。第２配管Ｐ２は、分岐部Ｓで第１配管Ｐ１と第３配管Ｐ３とに分岐している。ノズルユニット２０は、加圧液体供給源３０から分岐部Ｓまで延びる第２配管Ｐ２で構成される共通経路と、分岐部Ｓから供給ポート２５まで延びる第３配管Ｐ３、供給ポート２５及び縦流路２４で構成される供給路と、分岐部Ｓから排出ロッド２８に設けられた排出口２８ａまで延びる排出経路（第１配管Ｐ１を含む）とを有している。
【００４２】
加圧液体供給源３０は、図７に示すように、シール体２６が縦流路２４を閉塞し、第１配管Ｐ１に配置されるロッドバルブＶ１が開いた状態において逆方向に作動することにより、排出ロッド２８の排出口２８ａを通して、液体入り容器Ｃの内部から液体Ｌを排出口２８ａから分岐部Ｓまでの排出経路内に排出することができる。
【００４３】
加圧液体供給源３０は、シール体２６が縦流路２４を閉塞し、ロッドバルブＶ１が閉じた状態において逆方向に作動することにより、図示しない供給タンクに収容されている液体Ｌをシリンダ３０ａの内部に吸引し、次の液体ブロー成形に備えることができる。
【００４４】
ノズルユニット本体２０ａ、シール体２６、排出ロッド（延伸ロッド）２８、加圧液体供給源３０（プランジャー３０ｂ）、ロッドバルブＶ１、第１〜第５バルブＶａ〜Ｖｅ、吸引源３２及び加圧気体供給源３３等の作動は、図示しない制御装置によって統合的に制御される。
【００４５】
次に、このような構成の液体入り容器の製造装置１を用いて、合成樹脂製のプリフォーム２から所定形状の容器の内部に液体（内容液）Ｌが収容されてなる液体入り容器Ｃを成形する方法（本実施形態に係る液体入り容器の製造方法）について説明する。
【００４６】
まず、待機工程が行われる。待機工程においては、予めヒーター等の加熱手段（不図示）を用いて延伸性を発現する程度の所定の温度（例えば８０℃〜１５０℃）にまで加熱しておいたプリフォーム２をブロー成形用金型１０に装着し、型締めする。
【００４７】
このとき、ノズルユニット２０は、図１に示すように、ブロー成形用金型１０に対して上方に離れた位置にあり、シール体２６は座部２４ａを閉塞した状態となっている。また、流路２９は吸引状態となっている。より具体的には、第１バルブＶａは開き、第２バルブＶｂは閉じ、第３バルブＶｃは開き、第４バルブＶｄは開き、第５バルブＶｅは閉じている。このとき、プリフォーム２の口部２ａは開放されているので、プリフォーム２は、その内部に空気が充満した状態である。
【００４８】
次に、本実施形態では、空気排出工程が行われる。空気排出工程においては、図２に示すように、ノズルユニット２０を下降させてプリフォーム２の口部２ａにブローノズル２３を係合させ、流路２９を大気開放状態とした状態で、シール体２６を予備開放位置に移動させ、プランジャー３０ｂを第１速度で（すなわち、第１圧力で）正方向に作動させ、縦流路２４（供給路）からプリフォーム２の内部に液体Ｌを供給することにより、プリフォーム２の内部の空気を、流路２９を通して大気（外部）に排出させる。すなわち、プリフォーム２の内部に液体Ｌを供給することで、プリフォーム２の内部に充満している空気の大部分を液体Ｌによって外部に押し出して排出させる。このとき、流路２９においては、第１バルブＶａは開き、第２バルブＶｂは開き、第３バルブＶｃは閉じ、第４バルブＶｄは開き、第５バルブＶｅは閉じている。なお、空気排出工程における第１速度は、プリフォームを実質的に延伸（膨張）させない程度に設定することが好ましい。
【００４９】
空気排出工程が完了すると、次に、液体ブロー成形工程が行われる。液体ブロー成形工程においては、ブローノズル２３をプリフォーム２の口部２ａに係合させた状態で、縦流路２４（供給路）からプリフォーム２の内部に加圧液体供給源３０によって加圧した液体Ｌを供給することにより、プリフォーム２がブロー成形用金型１０のキャビティ１１に沿った形状の液体入り容器Ｃに成形される。
【００５０】
本実施形態では、図３に示すように、この液体ブロー成形工程の始めに、まず、ロッドパージ工程が行われる。ロッドパージ工程においては、まず、流路２９を閉状態とし、ロッドバルブＶ１を開き、次いで、シール体２６を予備開放位置に保持したままでプランジャー３０ｂを第１速度より大きい第２速度で（すなわち、第１圧力より大きい第２圧力で）正方向に作動させ、液体入り容器Ｃへの成形前及び／又は成形途中のプリフォーム２の内部の液体Ｌ中で、排出ロッド２８の排出口２８ａから液体Ｌを吐出する。本実施形態では、ロッドパージ工程及び液体ブロー成形工程において、第１〜第５バルブＶａ〜Ｖｅはいずれも閉じられる。しかし、第３バルブＶｃはロッド上昇・脱圧工程に備え、事前に開いておいてもよい。また、第５バルブＶｅはヘッドスペース形成工程における２段目サックバックに備え、事前に開いておいてもよい。
【００５１】
前回のヘッドスペース形成工程において排出ロッド２８の排出口２８ａから排出した液体Ｌには、排出ロッド２８の上下動の過程等により若干の空気が混入する場合があり、この空気が縦流路２４（供給路）に戻され、容器Ｃを成形する毎に蓄積していくと、成形条件（液体ブロー成形時の液体Ｌの加圧の圧力等）の安定性や容器の成形性等の低下を招く虞がある。上記のロッドパージ工程によって、前回のヘッドスペース形成工程において排出ロッド２８の排出口２８ａから排出した液体Ｌ（の好ましくは全量）をプリフォーム２の内部に吐出すれば、このように空気が蓄積するのを防止することができる。また上記のロッドパージ工程において、プリフォーム２の内部に供給される空気の量は僅かであるため、成形性に及ぼす影響は無視できる。ロッドパージ工程では排出口２８ａからの液体Ｌの吐出がプリフォーム２の内部の液体Ｌ中で行われる。したがって、プリフォーム２の内部での泡立ちの発生を抑制することができる。
【００５２】
本実施形態では、シール体２６を予備開放位置に保持したままでプランジャー３０ｂを第２速度で正方向に作動させることでロッドパージ工程を行っているが、シール体２６を開放位置に移動させながら又は開放位置に移動させてから、プランジャー３０ｂを第２速度で正方向に作動させるようにしてもよい。また、ロッドパージ工程においてより安定して排出口２８ａからの吐出を実現するためには、シール体２６を閉塞位置に移動させてからロッドバルブＶ１を開いてプランジャー３０ｂを正方向に作動（例えば、第２速度）させるようにすることが好ましい。或いは、第３配管Ｐ３に開閉バルブを設けて、当該開閉バルブを閉じるとともにロッドバルブＶ１を開いて（このときシール体２６は予備開放位置に保持したままでもよいし、開放位置に移動させてもよい）、プランジャー３０ｂを正方向に作動（例えば、第２速度）させるようにしてもよい。
【００５３】
液体ブロー成形工程においては、ロッドパージ工程が完了すると、次に、プランジャー３０ｂを第２速度で正方向に作動させたままでシール体２６を予備開放位置から開放位置に向けて上昇させ、縦流路２４（供給路）から座部２４ａを通して第２圧力に加圧した液体Ｌをプリフォーム２の内部に供給する。その結果、プリフォーム２は、図４に示すように、ブロー成形用金型１０のキャビティ１１に沿った形状の液体入り容器Ｃに成形される。なお、ロッドパージ工程終了後のブロー工程において、図３、４ではロッドバルブＶ１が開放されているが、閉じていてもよい。
【００５４】
ここで、液体ブロー成形工程は、空気排出工程においてプリフォーム２の内部の空気の大部分が外部に排出された状態で行われるので、プリフォーム２の内部に加圧した液体Ｌを供給したときに当該液体Ｌが空気を巻き込むことがなく、これにより、液体入り容器Ｃの内部の液体Ｌへの空気の混入が抑制される。
【００５５】
本実施形態では、図３及び図４に示すように、液体ブロー成形工程の最中にロッド延伸工程が行われる。ロッド延伸工程においては、下方に向けて進出移動する延伸ロッド２８により、プリフォーム２の胴部２ｂを軸方向（縦方向）に延伸させる。液体ブロー成形工程より前にロッド延伸工程を行う構成とすることもできる。ロッド延伸工程の後又は最中に液体ブロー成形工程を行う（液体ブロー成形工程の開始後にロッド延伸工程を開始してもよい）ことにより、プリフォーム２を延伸ロッド２８により軸方向に延伸させつつブロー成形を行う二軸延伸ブロー成形を行うことができるので、プリフォーム２をより精度よく所定形状の液体入り容器Ｃに成形することができる。しかし、ロッド延伸工程を行わずに液体ブロー成形工程を行うようにしてもよい。図１には、延伸ロッド２８が原位置にある状態が示されている。延伸ロッド２８の下端面は、原位置において、図１に示されたようにシール体２６の下端面と同じ高さに位置する必要はなく、当該高さより上方又は下方に位置してもよい。
【００５６】
液体ブロー成形工程が完了すると、次に、ヘッドスペース形成工程が行われる。図５に示すように、本実施形態では、ヘッドスペース形成工程においては、まず、１段目のサックバックを行う（すなわち、加圧液体供給源３０を吸引方向に作動させることによって供給路を通して液体入り容器Ｃの内部から液体Ｌを排出する）。１段目のサックバックにおいては、図５に示すようにシール体２６が開放位置にあり、流路２９が閉状態であり、ロッドバルブＶ１が開いたままで（ロッドバルブＶ１を閉じてもよい）、プランジャー３０ｂを所定の作動量だけ逆方向（吸引方向）に作動させて、成形後の液体入り容器Ｃの内部から所定量の液体Ｌを縦流路２４（供給路）に吸い戻す。この１段目のサックバックによって、容器Ｃの内部の正圧状態を解消し（負圧状態にしてもよい）、その後に流路２９を加圧状態とする際に容器Ｃの内部から液体Ｌが流路２９内に侵入するのを抑制できる。また、この１段目のサックバックを、縦流路２４（供給路）を通して行うことにより、排出ロッド２８の排出口２８ａのみを通して行う場合よりも速やかな液体Ｌの排出を実現し、容器Ｃの内部の正圧状態を速やかに解消することができる。この１段目のサックバックによる吸い戻しの量は、成形後の容器Ｃの内部の液体Ｌに混入した若干の空気ができるだけ縦流路２４（供給路）に戻されない程度の僅かな量に留めることが好ましい。
【００５７】
本実施形態では、ヘッドスペース形成工程においては、１段目のサックバックが完了すると、シール体２６を閉塞位置に移動させ（図６参照）、流路２９を加圧状態とし、２段目のサックバックを行う（図７参照）。流路２９は、より具体的には、図７に示すように、第１バルブＶａは開き、第２バルブＶｂは閉じ、第３バルブＶｃは閉じ、第４バルブＶｄは閉じ、第５バルブＶｅは開いている。しかし、第３バルブＶｃはロッド上昇・脱圧工程に備え、事前に開いておいてもよい。２段目のサックバックにおいては、ロッドバルブＶ１を開いて、縦流路２４（供給路）を閉塞した状態で加圧液体供給源３０（のプランジャー３０ｂ）を吸引方向に作動させることにより、ブローノズル２３を通して液体入り容器Ｃの内部まで延びた排出ロッド２８に設けられた排出口２８ａを通して、液体入り容器Ｃの内部から液体Ｌを排出し、液体入り容器ＣにヘッドスペースＨＳを形成する。本実施形態では、この２段目のサックバックは、液体入り容器Ｃの内部に流路２９から加圧した気体を供給しながら行われるため、排出口２８ａを通した液体Ｌの排出が促進される。この加圧気体による支援は、特に、内容液とする液体Ｌの粘度が大きい場合に有効である。内容液とする液体Ｌの粘度が小さい場合などのように、加圧気体による支援がなくとも排出口２８ａからの液体Ｌの排出が可能な場合には、流路２９を大気開放状態とし（或いは、ブローノズル２３を容器Ｃの口部２ａから離脱させて外部から大気を導入可能な状態とし）、２段目のサックバックを行うようにしてもよい。このように、液体入り容器Ｃの内部に気体を導入しながら２段目のサックバックを行う場合には、流路２９を閉状態とし、２段目のサックバックで容器Ｃの内部を負圧化した後に、流路２９を大気開放状態にしてヘッドスペースＨＳを形成する場合と比べ、容器Ｃに過大な負圧化による変形（永久変形）を生じることなくより大きなヘッドスペースＨＳを形成することができる。しかし、流路２９を閉状態とし、２段目のサックバックで容器Ｃの内部を負圧化した後に、流路２９を大気開放状態にしてヘッドスペースＨＳを形成するようにしてもよい。この場合、２段目のサックバックを１段目のサックバックと同時（時間差による一部重複を含む）に行ってもよい。また、２段目のサックバックに代えて、流路２９からの加圧気体のみにより、排出口２８ａを通して液体Ｌを排出し（すなわち、供給路を閉塞した状態で、加圧液体供給源３０を吸引方向に作動させずに液体入り容器Ｃの内部に加圧した気体を導入することにより、排出ロッド２８の排出口２８ａを通して液体入り容器Ｃの内部から液体Ｌを排出し）、ヘッドスペースＨＳを形成するようにしてもよい。
【００５８】
本実施形態のように排出口２８ａを通した液体Ｌの排出によれば、縦流路２４（の座部２４ａ）を通した液体Ｌの排出を行う場合と比べ、液中、特に空気の混入が少ない液体の下方部分から所望量の液体Ｌを排出することができる。このため、ロッドパージ工程を行う場合に、排出口２８ａを通して排出した液体Ｌの全量をロッドパージ工程で戻すことは必須ではない（空気の混入が予想される量を戻せばよい）。特に、本実施形態では、図７に示すように、空気の混入が少ない液体入り容器Ｃの下半部ＬＰ（高さを上下に２等分したときの下側部分）に位置する排出口２８ａを通して、液体入り容器Ｃの内部から液体Ｌを排出するようにしている。なお、これに代えて、液体入り容器Ｃの上半部に位置する排出口２８ａを通して、液体入り容器Ｃの内部（液中）から液体Ｌを排出するようにしてもよい。排出ロッド２８に複数の排出口２８ａを軸方向及び／又は周方向に沿って設けてもよい。排出口２８ａの配置位置、数、形状等は液体Ｌの種類、性質などに合わせて適宜設定することができる。
【００５９】
また、ヘッドスペース形成工程においては、排出口２８ａを通して液体入り容器Ｃの内部から排出する液体Ｌの量を、排出経路の内部体積以下としている。したがって、排出した液体Ｌが空気とともに供給路（縦流路２４、供給ポート２５及び第３配管Ｐ３）に混入することを防止することができる。この観点から、ヘッドスペース形成工程において排出口２８ａを通して液体入り容器Ｃの内部から排出する液体Ｌの量は、排出経路における排出口２８ａからロッドバルブＶ１までの内部体積以下とすることが好ましい。また、本実施形態によれば、供給路を加圧するための加圧液体供給源３０を、この排出のためにも兼用して、ノズルユニット２０の構成を簡素化することができる。しかし、ヘッドスペース形成工程において排出口２８ａを通して液体入り容器Ｃの内部から排出する液体Ｌの量を、排出経路の内部体積より多くしてもよい。
【００６０】
本実施形態では、ヘッドスペース形成工程が完了すると、ロッド上昇・脱圧工程が行われる。ロッド上昇・脱圧工程においては、図８に示すように、排出ロッド（延伸ロッド）２８を上昇させ、原位置に戻す。また、流路２９を吸引状態とし、ロッドバルブＶ１を閉じる。次いで、ノズルユニット２０を上昇させ、液体入り容器Ｃをブロー成形用金型１０から取出す。そして、加圧液体供給源３０を充填し、図１に示す待機工程へと移行する。
【００６１】
ここで、本実施形態の第１バルブＶａについてより詳細に説明する。なお、図１〜図８では概略的に示しているが、本実施形態の第１バルブＶａは、図９、１０に示すように、ブローノズル２３に内蔵されている。
【００６２】
第１バルブＶａは、ノズルユニット２０の内部に設けられた流路２９において、ブローノズル２３の内周面に設けられた開口３１から第１分岐部３４（図１参照）までを接続する第１経路２９ａに設けられている。
【００６３】
第１経路２９ａにおいてブローノズル２３の内部に形成された部分には、開口３１に隣接する連通空間４１と、連通空間４１に隣接するピン収容空間４２とが形成されている。連通空間４１は、開口３１とピン収容空間４２との間で、後述するシールピン４５の進退移動方向（本例では上下方向に対して垂直な方向（水平方向））に沿って直線的に延在する円柱状の空間とすることができる。なお、シールピン４５の進退移動方向を「軸方向」とする。
【００６４】
ピン収容空間４２は、連通空間４１と同一方向に延在し、連通空間４１よりも大径の円柱状の空間とすることができる。連通空間４１及びピン収容空間４２の形状及び延在方向は図示例に限定されず、適宜変更可能である。
【００６５】
図９のＡ−Ａ断面を示す図１０に示すように、ブローノズル２３には、ピン収容空間４２に対して直交する方向に連通する接続ポート４３が設けられている。接続ポート４３は第１経路２９ａの一部を構成し、第１分岐部３４に接続されている。なお、接続ポート４３は、ピン収容空間４２に対して直交していなくてもよい。
【００６６】
連通空間４１に連なるピン収容空間４２の端部（図示例では段差状の部分）には、環状（円環状）のシール座部４４が設けられている。本例のシール座部４４は、開口３１から離れる方向に突出する先細り状の突起で構成されている。なお、シール座部４４の形状は図示例に限定されず、例えば、後述するシールピン４５の進退移動方向に垂直な環状の平坦面としてもよい。あるいは、シール座部４４を、開口３１から離れるにつれて徐々に拡径する傾斜面としてもよく、この場合、後述するシールピン４５のシール面４６も開口３１から離れるにつれて徐々に拡径する傾斜面で構成することが好ましい。
【００６７】
第１経路２９ａにおけるピン収容空間４２の内部には、第１経路２９ａの軸心に沿うとともに、軸方向に沿って進退移動可能なシールピン４５が配置されている。シールピン４５は、ピン収容空間４２よりも小径の円柱状に形成されており、シール座部４４に当接して第１経路２９ａを閉塞可能な環状のシール面４６を有する。本例のシール面４６は、シールピン４５の軸方向に垂直な環状の平坦面で構成されている。このように、本例の第１バルブＶａは、シール座部４４とシール面４６により構成されている。
【００６８】
シールピン４５には、軸部４７を介して当該シールピン４５よりも大径のピストン４８が一体に設けられている。ピストン４８は支持ブロック２２に設けられたシリンダ室４９の内部に配置されており、当該シリンダ室４９の内部で軸方向に沿って移動自在となっている。また、支持ブロック２２には、シリンダ室４９において開口３１から離れた後端側に連通する閉側ポート５０と、シリンダ室４９において開口３１に近い前端側に連通する開側ポート５１とが設けられている。
【００６９】
閉側ポート５０からシリンダ室４９の内部に圧縮エア等の加圧媒体を供給することにより、ピストン４８を開口３１の側に向けて進出移動させてシールピン４５のシール面４６をシール座部４４に当接させ、第１バルブＶａを閉状態とすることができる。反対に、開側ポート５１からシリンダ室４９の内部に圧縮エア等の加圧媒体を供給することにより、ピストン４８を開口３１から離れる方向に向けて後退移動させてシール面４６をシール座部４４から離間させ、第１バルブＶａを開状態とすることができる。なお、シールピン４５は、例えば電磁ソレノイド等の機械的（電気的）な他の駆動装置を用いて開閉駆動される構成とすることもできる。
【００７０】
本実施形態のシールピン４５は、シール面４６よりも開口３１側に突出し、第１バルブＶａの閉状態において連通空間４１に入り込む突起部５２が設けられている。本例の突起部５２は、連通空間４１の形状に対応して円柱状に形成されているが、適宜変更可能である。突起部５２の外径は、連通空間４１の内径よりも小さくなっており、また、突起部５２の先端には、先細り状となるように傾斜面５２ａが設けられている。これにより、シールピン４５が軸方向に沿って進退移動する際に、突起部５２が連通空間４１とピン収容空間４２との境界部分に干渉することを防止している。
【００７１】
第１バルブＶａは、図１１に示すようにシールピン４５が開口３１から最も離れた位置にある全開状態と、図９に示すようにシールピン４５が最も開口３１に近接し、第１経路２９ａが閉塞された閉状態と、図１２に示すようにシールピン４５が上記全開状態と上記閉状態の中間に位置する半開状態と、の間で切替え可能である。なお、例えば、閉側ポート５０及び／又は開側ポート５１から供給される圧縮エア等の加圧媒体の流量や圧力等を制御することにより、第１バルブＶａを半開状態とすることができる。
【００７２】
以下に、上述した本実施形態に係る液体入り容器の製造方法の流れに沿って、第１バルブＶａの動きを説明する。上記待機工程では、第１バルブＶａを全開状態とし、流路２９を吸引状態とすることで、ブローノズル２３からの液だれを防止することができる。なお、待機工程においては、第１バルブＶａが開いた状態であれば、上記全開状態でも半開状態でもよい。
【００７３】
上記空気排出工程においては、第１バルブＶａを半開状態とすることが好ましく、これによれば、連通空間４１からピン収容空間４２へ向かう経路の幅を狭くして、空気の排出には十分な隙間を確保しつつ、ピン収容空間４２内への液体Ｌの侵入を抑制することができる。なお、第１バルブＶａの半開状態において、例えば、突起部５２の一部を連通空間４１内に残した位置とすることで、連通空間４１からピン収容空間４２へ向かう経路の幅が狭くなる。また、空気排出工程においては、第１バルブＶａを全開状態としてもよい。また、空気排出工程においては流路２９を大気開放状態または吸引状態とする。
【００７４】
上記液体ブロー成形工程、及び、ヘッドスペース形成工程における１段目のサックバックの際には、第１バルブＶａは閉状態とする。
【００７５】
図９に示すように、第１バルブＶａの閉状態においては、シールピン４５のシール面４６がシール座部４４に当接し、連通空間４１を塞ぐように突起部５２が入り込む。このため、液体ブロー成形工程の際などにおいて、液体Ｌが開口３１を通して連通空間４１に侵入し難くなる。また、第１バルブＶａの全開状態または半開状態において連通空間４１に液体Ｌが侵入した場合でも、その後に第１バルブＶａを閉状態とすることで、連通空間４１に存在する液体Ｌを開口３１から押し出すことができる。なお、突起部５２は、第１バルブＶａの閉状態において、突起部５２の先端がブローノズル２３の内周面に対応する位置、つまり、開口３１の同一面上に位置するように構成されていることが好ましい。これによれば、連通空間４１への液体Ｌの侵入及び残留を抑制する効果を高めるとともに、突起部５２がブローノズル２３の内周面から突出して他の部材と干渉したり、液体Ｌが突起部５２の先端に付着し易くなったりすることを防止することができる。なお、突起部５２は、第１バルブＶａの閉状態においてブローノズル２３の内周面から突出してもよい。また、突起部５２のサイズは適宜変更でき、例えば連通空間４１の全てを埋めるサイズでもよい。
【００７６】
ヘッドスペース形成工程における２段目のサックバックの際には、第１バルブＶａを全開状態とし、流路２９を加圧状態とする。なお、２段目のサックバック時には、第１バルブＶａを半開状態としてもよい。
【００７７】
ここで、図１３は、比較例として、シールピン４５に突起部５２が設けられておらず、シールピン４５の先端面がシール面４６と同一平面となる平坦面で構成されている場合のバルブＶｆを示している。この場合、バルブＶｆを閉状態としても連通空間４１は空洞となっており、ブローノズル２３の内周面に常に露出しているため、例えば、液体ブロー成形及び１段目のサックバックの際などに、液体Ｌが連通空間４１に侵入して残留する虞がある。そして、連通空間４１に液体Ｌが存在する状態で、２段目のサックバックの際に流路２９から加圧した空気を導入すると、連通空間４１内に残留する液体Ｌが泡立ちながら空気と共に容器Ｃ内に入り込む虞がある。また、２段目のサックバックの際に不要な液体Ｌが容器Ｃ内に入り込むことで、ヘッドスペースＨＳが所期した大きさよりも小さくなる虞がある。また、連通空間４１に侵入した液体Ｌにより、液体ブロー成形工程後等においてブローノズル２３を容器Ｃの口部２ａから離脱させた際に、ブローノズル２３から液だれが生じ、当該液だれによって口部２ａに液体Ｌが付着する虞もある。
【００７８】
これに対して、本実施形態にあっては、第１バルブＶａの閉状態において連通空間４１に配置される突起部５２を設けたことにより、連通空間４１に不要な液体Ｌが侵入し、また、残留することを防止することができる。これにより、連通空間４１に侵入した液体Ｌに起因する、加圧気体導入時の泡の発生を防止することができる。また、本実施形態では、連通空間４１内の液体Ｌが加圧気体導入時に容器Ｃ内に戻されることに起因して、ヘッドスペースＨＳの大きさが不安定となることを防止することができる。すなわち、本実施形態では、ヘッドスペースＨＳの大きさがより安定する。さらに、本実施形態では、連通空間４１に侵入した液体Ｌに起因するブローノズル２３からの液だれ、及び、当該液だれに起因する口部２ａへの液体Ｌの付着も防止することができる。
【００７９】
また、本実施形態にあっては、シールピン４５を中間位置とした第１バルブＶａの半開状態で空気排出工程を行うことで、連通空間４１からピン収容空間４２へ向かう経路（の一部）を狭くして、空気の排出には十分な隙間を確保しつつ、ピン収容空間４２内への液体Ｌの侵入を抑制することができる。
【００８０】
なお、上述の実施形態では、空気排出工程でプリフォーム２内の空気を排出する際の空気の流路（排気経路）と、加圧した空気を導入する際の空気の流路（空気導入径路）と、が少なくとも第１経路２９ａ等において部分的に共通化されていたが、当該排気径路と空気導入径路とを、それぞれ別に設けてもよい。その場合、例えばブローノズル２３に、空気排出工程でプリフォーム２内の空気を排出する際に用いる排気径路としての流路２９とは別に、ブローノズル２３に開口する空気導入径路を設け、当該空気導入径路に第１バルブＶａと同様のバルブを設けることができる。この場合でも、空気導入径路の連通空間に入り込む突起部をバルブのシールピンに設けることにより、空気導入径路の連通空間に不要な液体Ｌが侵入し、また、残留することを防止することができる。その結果、例えば、ブローノズル２３を容器Ｃの口部２ａから離脱させた際に、ブローノズル２３から液体Ｌが落下する液だれを防止することができる。なお、このようにブローノズル２３の内周面に開口する流路が複数設けられている場合には、少なくとも１つの流路を開閉するバルブのシールピンに突起部が設けられていればよく、全てのシールピンに突起部が設けられていることがより好ましい。
【００８１】
本発明は前記の実施形態に限定されるものではなく、その要旨を逸脱しない範囲で種々変更可能であることはいうまでもない。
【００８２】
例えば、前記の実施形態では、図１に示す構成の液体入り容器の製造装置１を用いて本発明の液体入り容器の製造方法を行う場合を示したが、他の構成の液体入り容器の製造装置等を用いて本発明の液体入り容器の製造方法を行うこともできる。液体入り容器の製造装置１は、排出ロッド２８を備えていなくてもよい。
【００８３】
前記の実施形態においては、空気排出工程においてブローノズル２３をプリフォーム２の口部２ａに係合させた状態で流路２９を大気開放状態とすることによってプリフォーム２の内部を大気開放するようにしているが、これに限られない。例えば、空気排出工程においてブローノズル２３をプリフォーム２の口部２ａに係合させず近接状態として、プリフォーム２の内部からブローノズル２３の外面と口部２ａの内面との隙間を通じて外部への空気の排出通路を確保するようにしてもよい。
【００８４】
前記の実施形態においては、加圧液体供給源３０はプランジャーポンプとされているが、これに限らず、液体Ｌを所定の圧力にまで加圧してプリフォーム２に供給することができ、液体Ｌのサックバックのための負圧を生じさせることができるものであれば他種類のポンプなどの種々の構成のものを用いることができる。
【００８５】
前記の実施形態においては、ロッドパージ工程では、液体入り容器Ｃへの成形前及び／又は成形途中のプリフォーム２の内部の液体Ｌ中で、排出ロッド２８の排出口２８ａから液体Ｌを吐出するようにしていたが、これに限らない。例えば、ロッドパージ工程において、排出ロッド２８の排出口２８ａからの液体Ｌの吐出は、常に空気中で行われてもよい。また、前記の実施形態においては、ロッドパージ工程では、排出口２８ａからの液体Ｌの吐出が常にプリフォーム２の内部の液体Ｌ中で行われるようにしていたが、例えば、吐出の初期は空気中で行い、その後は液体Ｌ中で行うようにしてもよい。また、ロッドパージ工程より前（例えば、待機工程より前）に、ブローノズル２３以外の手段によって、予めプリフォーム２の内部に液体Ｌを供給する工程を設けてもよい。また、前記の実施形態においては、ロッドパージ工程は、液体ブロー成形工程の最中に行われていたが、これに限らない。例えば、ロッドパージ工程は液体ブロー成形工程より前（例えば空気排出工程の前若しくは最中、又は空気排出工程と液体ブロー成形工程との間）に行ってもよい。また、ロッドパージ工程において、排出ロッド２８の排出口２８ａからの液体Ｌの吐出は、条件によっては、成形直後（１段目のサックバックより前）の液体入り容器Ｃの内部の液体Ｌ中で行ってもよい。ロッドパージ工程を行わないようにしてもよい。
【００８６】
前記の実施形態においては、空気排出工程を行っていたが、空気排出工程を行わないようにしてもよい。また、前記の実施形態のヘッドスペース形成工程においては、１段目及び２段目のサックバックを行っていたが、１段目及び２段目のサックバックの何れか、又は両方を行わないようにしてもよい。
【００８７】
プリフォーム２として、成形後の液体入り容器Ｃの形状等に応じて種々の形状のものを用いることができる。
【符号の説明】
【００８８】
１    液体入り容器の製造装置
２    プリフォーム
２ａ  口部
２ｂ  胴部
１０    ブロー成形用金型
１１    キャビティ
２０    ノズルユニット
２０ａ  ノズルユニット本体
２１    本体ブロック
２２    支持ブロック
２３    ブローノズル
２３ａ  液体供給口
２４    縦流路
２４ａ  座部
２５    供給ポート
２６    シール体
２６ａ  テーパ面
２７    軸体
２８    排出ロッド（延伸ロッド）
２８ａ  排出口
２９    流路
３０    加圧液体供給源
３０ａ  シリンダ
３０ｂ  ピストン（プランジャー）
３１    開口
３２    吸引源
３３    加圧気体供給源
３４    第１分岐部
３５    第２分岐部
４１    連通空間
４２    ピン収容空間
４３    接続ポート
４４    シール座部
４５    シールピン
４６    シール面
４７    軸部
４８    ピストン
４９    シリンダ室
５０    閉側ポート
５１    開側ポート
５２    突起部
５２ａ  傾斜面
Ｃ    液体入り容器
Ｌ    液体
Ｐ１    第１配管
Ｐ２    第２配管
Ｐ３    第３配管
Ｓ    分岐部
Ｖ１    ロッドバルブ
Ｖａ    第１バルブ（バルブ）
Ｖｂ    第２バルブ
Ｖｃ    第３バルブ
Ｖｄ    第４バルブ
Ｖｅ    第５バルブ
ＨＳ    ヘッドスペース
ＬＰ    下半部
【図１】
2020037185.tif 000003
【図２】
2020037185.tif 000004
【図３】
2020037185.tif 000005
【図４】
2020037185.tif 000006
【図５】
2020037185.tif 000007
【図６】
2020037185.tif 000008
【図７】
2020037185.tif 000009
【図８】
2020037185.tif 000010
【図９】
2020037185.tif 000011
【図１０】
2020037185.tif 000012
【図１１】
2020037185.tif 000013
【図１２】
2020037185.tif 000014
【図１３】
2020037185.tif 000015